(57)【要約】【課題】従来と同等のボタン配置でコンピュータへの入力を増やした多機能マウス。また、３次元の入力形態を兼ね備えたマウスを提供する。【解決手段】  マウス１０は、一対のマウスボタン１０１、１０２に選択ボタン１０３を有する。マウスボタン１０１及び１０２は図２のように、上下に可動し指を挿入することができる形状になっており、指の上下動に伴う引下動作及び引上動作を検知することができる形態である。マウスボタン１０１及び１０２が押下動作及び引上動作された際に、図５の検知手段によって検知された信号を、図３のように８種類の独立した信号をコンピュータへ入力する。また、選択ボタン１０３が、押下されている状態でマウスボタンを前記押下動作及び前記引上動作するとＺ軸方向を意味する信号をコンピュータへ入力する。【選択図】図１
2012133739.tif 000002
【特許請求の範囲】
【請求項１】
コンピュータ操作用のマウス装置において、指を挿入できる挿入部とこの挿入部に一体的に設けられ前記指の上下動に伴って可動できるマウスボタンと前記挿入部及び前記マウスボタンが上下することによる引上動作を検知できる検知手段及び押下動作を検知できる検知手段とを有することを特徴とする多機能マウス装置。
【請求項２】
前記検知手段からの検知信号を、コンピュータへ入力する複数の入力信号のうち任意の一つへ選択できる選択ボタンを有し、この選択ボタンにより、前記引上動作を検知した前記検知手段からの引上検知信号を、＋Ｚ軸方向を意味する信号として入力され、前記押下動作を検知した前記検知手段からの押下検知信号を、−Ｚ軸方向を意味する信号として入力されることを特徴とする請求項１に記載した多機能マウス装置。
【発明の詳細な説明】
【技術分野】
【０００１】  本発明は、マウス装置に係り、マウスボタンの形状と操作の工夫及び図面情報等の３次元座標を扱う際の、画面の水平・鉛直方向つまり、Ｘ・Ｙ・Ｚ軸方向を意味する信号としてデータ入力するマウス入力装置に関する。
【背景技術】
【０００２】  従来、この種のマウス入力装置は、通常のマウスボタンを用いた操作以外の機能を持たせる場合、一対のマウスボタンの他に機能が特定しているボタン及びダイヤル等の入力装置を持ちこの入力装置を操作することでコンピュータへの入力を行う。
【先行技術文献】
【特許文献】
【０００３】
【特許文献１】特開平５−１０８２６３号公報
【特許文献２】特開２００６−１２７３８９号公報
【発明の概要】
【発明が解決しようとする課題】
【０００４】  しかしながら、以上の技術によれば、通常のマウスと異なる形態であることから、ボタン位置やダイヤルの位置を確認してからの操作となり、不慣れで馴染めないという問題点があった。【０００５】  特許文献１によると、ダイヤルを操作することによって、Ｚ軸方向を意味する信号の入力を行う作業は直観性に欠ける上、操作性が悪いという問題点があった。【０００６】  特許文献２によると一旦マウスボタンから指を離し、再び操作したいボタンに指を置く必要があるために、素早い操作が困難である。【０００７】  そこで、この発明は、従来のマウス装置と同様のボタン配置で、指を移動させることなくマウスボタン操作による入力信号の種類を増やす。またマウスボタンを用いた直観的な操作でＺ軸方向を意味する信号の入力を可能にしたマウス入力装置を提供することを課題とする。
【課題を解決するための手段】
【０００８】  以上の課題を解決するために、第一発明は、コンピュータ操作用のマウス装置において、指を挿入できる挿入部と、この挿入部に一体的に設けられ前記指の上下動に伴って可動できるマウスボタンと前記挿入部及び前記マウスボタンが上下することによる引上動作を検知できる検知手段及び押下動作を検知できる検知手段を有する。
また、第二発明は、前記検知手段からの検知信号を、コンピュータへ入力する複数の入力信号のうち任意の一つへ選択できる選択ボタンを有し、この選択ボタンにより、前記引上動作を検知した前記検知手段からの引上検知信号を、＋Ｚ軸方向を意味する信号として入力され、前記押下動作を検知した前記検知手段からの押下信号を、−Ｚ軸方向を意味する信号として入力される。
【発明の効果】
【０００９】  第一発明は、前記マウスボタン及び前記検出手段により、挿入した指の上下動を検知することにより、マウスボタンの前記引上動作時の信号及び前記押下動作時の信号が発生し、コンピュータへ１つのマウスボタンで２種類の信号が入力できる。また、第二発明は、前記マウスボタン及び前記選択ボタンの前記動作により、Ｚ軸方向を意味する入力がマウスボタンの上下動による直観的な入力形態となる
【図面の簡単な説明】
【００１０】
【図１】この発明の一実施形態を示す斜視図である。
【図２】この発明のマウスボタンの動作を示した説明図
【図３】この発明のボタンの操作と入力信号を示した説明図
【図４】この発明のマウスの持ち方を示した説明図
【図５】この発明のモーメンタリスイッチを示した説明図
【図６】この発明の素早く直観的な操作を示した説明図
【発明を実施するための形態】
【００１１】  この発明の一実施形態を、図１に示す。
図１のようにマウス１０の、マウスボタン１０１および１０２には指を挿入するための挿入部が設けてあり、図４のように、マウス本体側面にある選択ボタン１０３を有する。
【００１２】  この発明を右手で操作する場合、マウスボタン１０１に人差し指、マウスボタン１０２に中指をそれぞれ挿入し、図２のように、挿入した指の上動に伴う前記マウスボタン操作によって、前記引上動作を行う。また、挿入した指の下動に伴う前記マウスボタン操作によって、前記押下動作を行う。
【００１３】  この発明を右手で操作する場合、前記選択ボタン１０３は親指で操作し、前記押下動作の際、コンピュータへ入力する複数の信号のうち任意の入力を選択できる。
【００１４】  前記マウスボタン１０１及び１０２は、マウスに内蔵された図５に示すようなモーメンタリ動作スイッチにより前記押下動作及び前記引上動作を検知する信号回路を持つ。図５に示すように、前記マウスボタンに挿入した指の上下動が無い場合、回路Ａ−Ｃ及びＢ−Ｃは開回路となり、前記マウスボタンの動作は検知されない。前記マウスボタンに挿入した指の下動作の際に回路Ａ−Ｃが閉回路、Ｂ−Ｃが開回路となり前記押下動作を検知する。また、前記マウスボタンに挿入した指の上動作の際にＢ−Ｃが閉回路、Ａ−Ｃが開回路となり前記引上動作を検知する。
【００１５】  前記マウスボタン及び前記選択ボタンを使用した３次元入力について、前記選択ボタン１０３を押下状態で、前記マウスボタン１０１の前記引上動作を＋Ｚ軸方向を意味する信号、前記押下動作を−Ｚ軸方向を意味する信号としてソフトウェアにより設定した場合、マウス操作によって平面座標を検知しながら、前記選択ボタン１０３を押下した状態で、前記マウスボタン１０１の前記引上動作により検知された信号は、＋Ｚ軸方向を意味する信号として入力される。また、前記押下動作により検知された信号は、−Ｚ軸方向を意味する信号として入力される。Ｘ・Ｙ・Ｚ軸座標位置の検知が完了したら前記選択ボタン１０３を解除し、前記マウスボタン１０１の前記押下操作により、座標を確定できる。
【００１６】「実施形態の効果」
前記選択ボタンの操作及び前記マウスボタンの挿入部に挿入した指の上下動によって、指を移動させることなく、図３のように８種類の信号をコンピュータへ入力できる。また、図３の８種類の入力のうち６種類については、ソフトウェアによって任意に設定することができる。
また、素早い直観的操作の例を挙げる。一例目は、予めソフトウェアによって、前記マウスボタン１０１の前記引上動作に、ドラッグ操作を設定しておく。図６のように、画面上の６０１の位置で前記マウスボタン１０１を１回の前記引上動作で従来のマウスでいうところの左ボタンを押下したままの状態を意味する信号が入力される。選択した部分を持ち上げたような直観的な操作を行える。そして、すべてのボタンがニュートラルの位置にしたままの状態でマウス操作により選択した６０１をドラッグする。再び前記マウスボタン１０１を１回の前記押下動作で、従来のマウスでいうところの左ボタンを離した状態を意味する信号が入力されドロップを完了する。一度持ち上げた選択部分を任意の位置に置いたような直観的な操作を行える。
二例目は、予めソフトウェアによって、前記選択ボタン１０３を押下状態で、前記マウスボタン１０１の前記押下動作にズームイン（画面の拡大）及び、前記マウスボタン１０１の前記引上動作にズームアウト（画面の縮小）操作を設定しておく。前記マウスボタン１０１の前記押下動作により検出された信号は、ズームインを意味する信号として入力される。視点が画面に近づいたような直観的な操作を行える。また、前記マウスボタン１０１の前記引上動作により検出された信号は、ズームアウトを意味する信号として入力される。視点が画面から離れていくような直観的な操作を行える。
「他の実施形態」
図１の実施形態では、前記マウスボタン１０１および１０２の穴の形状は丸穴であったが、他の実施形態では、マウスボタンが円筒状、円錐状、リング状、帯状、かぎ状等、指の上下動を検知できる形状のものなら良い。
【符号の説明】
【００１７】１０  マウス本体
１０１  左マウスボタン
１０２  右マウスボタン
１０３  選択ボタン
１０４  挿入部
２０１  押下動作
２０２  引上動作
５０  モーメンタリスイッチ本体
５０１  接点Ｃ
５０２  接点Ａ
５０３  接点Ｂ
６０  画面
６０１  選択された部分
【図１】
2012133739.tif 000003
【図２】
2012133739.tif 000004
【図３】
2012133739.tif 000005
【図４】
2012133739.tif 000006
【図５】
2012133739.tif 000007
【図６】
2012133739.tif 000008